(57)【要約】【課題】混合塵に含まれているカセットテープなどの長尺状の塵が回転軸に絡まり、そこに巻き付いてしまうことを防止可能なロータースクリーン式選別機を提案すること。【解決手段】ローターディスク式選別機１は、回転軸７に所定間隔で複数枚のローターディスク８が同軸状態に取り付けられているローター５を、各ローター５の各ローターディスク８が相互に入り込む状態に配列することにより構成したロータースクリーン２を備えている。各ローター５のローターディスク８の間から露出している回転軸７の露出軸部分７ｃには、それぞれ、下側からスクレーパー３０の刃先３３ａが当接している。混合塵Ｗに含まれているテープなどの長尺状の塵が露出軸部分７ｃに絡み付いても、スクレーパー３０によって露出軸部分７ｃから掻き落とされ、そこに巻き付いてしまうことがない。【選択図】図３
2009189957.tif 000002
【特許請求の範囲】
【請求項１】
回転軸（７）に所定間隔で複数枚のローターディスク（８）が同軸状態に取り付けられているローター（５）が、各ローター（５）の各ローターディスク（８）が相互に入り込む状態に平行に配列された構成のロータースクリーン（２）を、送り方向の前側が上となるように傾斜配置し、このロータースクリーン（２）の上から混合塵（Ｗ）を投入し、ローターディスク（８）の隙間から混合塵（Ｗ）に含まれている第１の塵（Ｗ１）を落下させ、各ローター５に沿って混合塵（Ｗ）に含まれる第２の塵（２）を滑落させ、残りの第３の塵（Ｗ３）を各ローター（５）によって搬送することにより混合塵（Ｗ）を選別するローターディスク式選別機（１）において、
混合塵（Ｗ）に含まれている長尺状の塵が、少なくとも、各ローター（５）における隣接するローターディスク（８）の間に位置している回転軸（７）の露出軸部分（７ｃ）に巻き付くことを防止するための巻き付き防止機構（３０、４０）を有していることを特徴とするローターディスク式選別機（１）。
【請求項２】
請求項１に記載のローターディスク式選別機（１）において、
前記巻き付き防止機構は、前記回転軸（７）の各露出軸部分（７ｃ）の外周面に当接可能な刃先（３３ａ）を備えた異物掻き取り部材（３０）であることを特徴とするローターディスク式選別機（１）。
【請求項３】
請求項１に記載のローターディスク式選別機（１）において、
前記巻き付き防止機構は、前記回転軸（７）の各露出軸部分（７ｃ）を覆っているカバー（６１、６２、６３）であることを特徴とするローターディスク式選別機（１）。
【請求項４】
請求項３に記載のローターディスク式選別機（１）において、
前記カバー（６１）は、前記回転軸（７）の各露出軸部分（７ｃ）に対して回転自在の状態で当該露出軸部分（７ｃ）を覆っていることを特徴とするローターディスク式選別機（１）。
【請求項５】
請求項１ないし４のうちのいずれかの項に記載のローターディスク式選別機（１）において、
前記巻き付き防止機構は、前記回転軸（７）の各露出軸部分（７ｃ）に前記長尺状の塵が接近しないように風を送る送風機構（４０）であることを特徴とするローターディスク式選別機（１）。
【請求項６】
請求項５に記載のローターディスク式選別機（１）において、
前記送風機構（４０）は、風量および風速の少なくとも一方を調整可能であることを特徴とするローターディスク式選別機（１）。
【請求項７】
請求項５または６に記載のローターディスク式選別機（１）において、
前記送風機構（４０）は、前記ローター（５）の下側から各ローター（５）の隙間を通って上方に向かう第１の風（４１）を形成することを特徴とするローターディスク式選別機（１）。
【請求項８】
請求項５ないし７のうちのいずれかの項に記載のローターディスク式選別機（１）において、
前記送風機構（４０）は、前記ロータースクリーン（２）の上面に沿って、その送り方向の後側から前側に向かう第２の風（４２）を形成することを特徴とするローターディスク式選別機（１）。
【請求項９】
請求項５ないし８のうちのいずれかの項に記載のローターディスク式選別機（１）において、
前記送風機構（４０）は、前記ロータースクリーン（２）の上方から当該ロータースクリーン（２）に投入される前記混合塵（Ｗ）に対して吹き付けられる第３の風（４３）を形成することを特徴とするローターディスク式選別機（１）。
【発明の詳細な説明】
【技術分野】
【０００１】
本発明は、回転軸に所定間隔で複数枚のローターディスクを同軸状態に取り付けたローターが、各ローターの各ローターディスクが相互に入り込む状態に平行に配列された構成のロータースクリーンを用いて混合塵の選別を行うロータースクリーン式選別機に関する。
【背景技術】
【０００２】
河川清掃時に発生する塵や産業廃棄物等は一般に木材、プラスチック、土砂などが混在した混合塵であり、混合塵を選別するためにロータースクリーン、ディスクスクリーン、ローターコンベヤなどと呼ばれている選別機構（以下、これらを総称して「ロータースクリーン」と呼ぶ。）を備えたロータースクリーン式選別機が用いられている。特許文献１、２、３には、このような選別機が開示されている。
【０００３】
ロータースクリーン式選別機では、ロータースクリーンが、その送り方向に向けて上方に傾斜するように配置され、その上に混合塵が投入される。ロータースクリーン上に混合塵が投入されると、まず、そこに含まれている土、砂、石などの細粒物が、ロータースクリーンの各ローターディスクの隙間から落下して選別される。ペットボトル、空き缶などの固形物は、傾斜配置されているロータースクリーンの上面に沿って送り方向とは反対側に滑落して選別される。残りのビニール袋などのシート類はロータースクリーンの各ローターディスクの回転によって当該ロータースクリーンの上面に沿って送り出されて選別される。
【特許文献１】特許第３８０１９３２号公報
【特許文献２】特開２００７−１４４３２４号公報
【特許文献３】特許第４００４８８７号公報
【発明の開示】
【発明が解決しようとする課題】
【０００４】
ここで、ロータースクリーンを構成している各ローターにおいては、一定の間隔でローターディスクが取り付けられており、各ローターディスクの間では回転軸の外周面が露出している。このような回転軸における露出軸部分には混合塵の選別動作中に長尺状の塵が巻き付きやすい。例えば、近年においては記憶媒体としてカセットテープ、ビデオテープに代わってディスクが広く用いられており、混合塵には廃棄されたカセットテープ、ビデオテープなどが混在している。テープ類が回転軸における露出軸部分に絡み付くと、回転軸の回転に伴ってそこに巻き付いてしまう。巻き付いたテープ類を取り外す作業は困難であり、時間も掛かる。
【０００５】
本発明の課題は、このような点に鑑みて、混合塵に含まれている長尺状の塵が回転軸に巻き付くことなく、混合塵を効率良く選別可能なロータースクリーン式選別機を提案することにある。
【課題を解決するための手段】
【０００６】
上記の課題を解決するために、本発明のロータースクリーン式選別機は次の構成を備えたことを特徴としている。なお、括弧内の符号は後述の実施の形態におけるものであり、本発明の理解を容易にするために付したものであるが、本発明を当該実施の形態に限定することを意図したものではない。
【０００７】
すなわち、本発明は、回転軸（７）に所定間隔で複数枚のローターディスク（８）が同軸状態に取り付けられているローター（５）が、各ローター（５）の各ローターディスク（８）が相互に入り込む状態に平行に配列した構成のロータースクリーン（２）を、送り方向の前側が上となるように傾斜配置し、このロータースクリーン（２）の上から混合塵（Ｗ）を投入し、前記ローターディスク（８）の隙間から混合塵（Ｗ）に含まれている第１の塵（Ｗ１）を落下させ、各ローター（５）に沿って混合塵（Ｗ）に含まれる第２の塵（Ｗ２）を滑落させ、残りの第３の塵（Ｗ３）を各ローター（５）によって搬送することにより前記混合塵（Ｗ）を選別するローターディスク式選別機（１）において、前記混合塵（Ｗ）に含まれている長尺状の塵が、少なくとも、各ローター（５）における隣接する前記ローターディスク（８）の間に位置している前記回転軸（７）の露出軸部分（７ｃ）に巻き付くことを防止するための巻き付き防止機構（３０、４０）を有していることを特徴としている。
【０００８】
本発明のローターディスク式選別機（１）において、前記巻き付き防止機構は、少なくとも、前記回転軸（７）の各露出軸部分（７ｃ）の外周面に当接可能な刃先（３３ａ）を備えた異物掻き取り部材（３０）であることを特徴としている。刃先（３３ａ）を露出軸部分（７ｃ）だけでなく、その両側のローターディスク（８）の側面部分、ローターディスク（８）の外周面部分に当接可能としおくこともできる。
【０００９】
抄紙機ロール、製鉄用ロール、コピー機の感光ドラムなどの表面に付着した異物などを掻き落とすために使用されているようなスクレーパー、ドクターブレードなどと同様な構造の異物掻き取り部材（３０）を配置しておくことにより、回転軸（７）の露出軸部分（７ｃ）に絡みついた長尺状の塵を直ちに除去することができる。また、ローターディスク（８）に絡み付いた長尺状の塵を除去することができる。
【００１０】
本発明のローターディスク式選別機（１）において、前記巻き付き防止機構は、前記回転軸（７）の各露出軸部分（７ｃ）を覆っているカバー（６１，６２，６３）であることを特徴としている。回転軸（７）の露出軸部分（７ｃ）をカバー（６１，６２，６３）で覆い隠しておくことにより、長尺状の塵が露出軸部分（７ｃ）に絡み付くことがない。
【００１１】
前記カバー（６１）としては、前記回転軸（７）の各露出軸部分（７ｃ）に対して回転自在の状態で当該露出軸部分を覆っているものを用いることができる。カバー（６１）は回転軸（７）と共に回転することがないので、長尺状の塵がカバー（６１）の外周面に巻き付いてしまうことがない。
【００１２】
本発明のローターディスク式選別機（１）において、前記巻き付き防止機構は、前記回転軸（７）の各露出軸部分（７ｃ）に前記長尺状の塵が接近しないように風を送る送風機構（４０）であることを特徴としている。前記送風機構（４０）は、風量および風速の少なくとも一方を調整可能であることが望ましい。
【００１３】
前記送風機構（４０）を、前記ローター（５）の下側から各ローター（５）の隙間を通って上方に向かう第１の風（４１）を形成するものとすることができる。長尺状の塵を吹き上げることにより、回転軸（７）の露出軸部分（７ｃ）に絡み付いてしまうことを防止できる。
【００１４】
前記送風機構（４０）を、前記ロータースクリーン（２）の上面に沿って、その送り方向の後側（上流側）から前側（下流側）に向かう第２の風（４２）を形成するものとすることができる。回転軸（７）の露出軸部分（７ｃ）に巻き付く長尺状の塵は一般に軽量であるので、ロータースクリーン（２）の上面に沿って風を送ることにより、このような長尺状の塵は、風に乗って運ばれ、回転軸（７）の露出軸部分（７ｃ）に落ちて絡みつかない。
【００１５】
前記送風機構（４０）を、前記ロータースクリーン（２）の上方から当該ロータースクリーン（２）に投入される前記混合塵（Ｗ）に対して吹きつけられる第３の風（４３）を形成するものとすることができる。例えば、第３の風（４３）を混合塵（Ｗ）に対して、水平方向からロータースクリーン（２）の下流側に向けて吹き付けることができる。混合塵（Ｗ）の投入時に投入口付近において風（４３）を当てると、混合塵（Ｗ）がばらけて、軽量な長尺状の塵が風に乗って運ばれ、ロータースクリーン（２）の上面に落下しにくい。したがって、長尺状の塵が回転軸（７）の露出軸部分（７ｃ）に絡まり、そこに巻き付いてしまうことを防止できる。
【００１６】
ここで、上記の第１、第２および第３の風（４１、４２、４３）を組み合わせて用いることができ、その場合には、各風の風量、風速を調整することにより、長尺状の塵を回転軸（７）の露出軸部分（７ｃ）に触れさせることなく送り出すことができる。
【００１７】
また、巻き付き防止機構として、上記の異物掻き取り部材（３０）およびカバー（６１、６２、６３）のいずれかと、送風機構（４０）とを組み合わせて用いることも可能である。
【００１８】
さらには、１本のローターにおける回転軸（７）の中間部分においてはカバー（６１、６２、６３）を配置して長尺状の塵が巻き付くことを防止し、回転軸（７）の軸端側の部分においては異物掻き取り部材（３０）を配置して長尺状の塵が巻き付くことを防止してもよい。または、回転軸（７）の露出軸部分（７ｃ）をカバー（６１、６２、６３）で覆い隠し、ローターディスク（８）の側面部分、外周面部分に長尺状の塵が絡みつくことを異物掻き取り部材（３０）を用いて防止するようにしてもよい。
【発明の効果】
【００１９】
本発明のロータースクリーン式選別機は巻き付き防止機構を備えているので、各ローターの回転軸におけるローターディスク間の露出軸部分に長尺状の塵が絡まり、そこに巻き付いてしまうことを確実に防止でき、長尺状の塵を含む混合塵を効率良く選別できる。
【発明を実施するための最良の形態】
【００２０】
以下に、図面を参照して、本発明を適用したロータースクリーン式選別機の実施の形態を説明する。
【００２１】
（全体構成）
図１はロータースクリーン式選別機を示す概略構成図であり、図２はロータースクリーンの部分平面図であり、図３はロータースクリーンを構成している１本のローターを示す平面図である。
【００２２】
これらの図に示すように、ロータースクリーン式選別機１は、ロータースクリーン２と、このロータースクリーン２をその送り方向の先が上となるように傾斜状態で支持している架台３と、ロータースクリーン２を取り囲んでいるカバーフレーム４とを有している。ロータースクリーン２は、送り方向に沿って一定間隔で平行に配列した複数本のローター５と、各ローター５を回転自在の状態で支持している枠体６とを備えている。各ローター５は、枠体６に対して、送り方向に直交する幅方向に架け渡した回転軸７と、この回転軸７に一定の間隔で同軸状態に固定した複数枚のローターディスク８とを備えている。隣り合うローター５における各ローターディスク８は交互に入り込んだ状態に配置されている。
【００２３】
ロータースクリーン２の枠体６の下端部分６ａ（送り方向の後端部分）は、上下方向に回転可能な状態でヒンジを介して架台３の側に支持されており、枠体６の上端部分６ｂの側は、シリンダ１０によって昇降可能な状態で架台３の側に支持されている。シリンダ１０を伸縮させることにより、ロータースクリーン２の傾斜角度を調整可能である。
【００２４】
ロータースクリーン２の中程の真上には、カバーフレーム４に形成された投入口１１が位置している。この投入口１１からは、河川清掃時に発生する塵、産業廃棄物等のような土、砂、石、ビニール袋、長尺状のシート・テープ類、ペットボトル、空缶、材木等が混在した混合塵Ｗが、外部のベルトコンベア１２によって投入可能である。ロータースクリーン２の下側には当該ロータースクリーン２の下面を包含する大きさの回収用ホッパ１３が配置されており、この回収用ホッパ１３の下端開口の真下には細粒物を所定の回収場所に搬送するためのコンベア１４が配置されている。
【００２５】
また、ロータースクリーン２の送り方向の前端部分には、ここから落下する塵をガイドするための回収用ホッパ１５が配置されており、この回収用ホッパ１５の下端開口の真下にはシート類を所定の回収場所に搬送するためのコンベア１６が配置されている。さらに、ロータースクリーン２の送り方向の後端部分にも、ここから滑落する塵をガイドするための回収用ホッパ１７が配置されており、この回収用ホッパ１７の下端開口の真下には固形物を所定の回収場所に搬送するためのコンベア１８が配置されている。
【００２６】
ローター５は、図３から分かるように、回転軸７と、ここに一定の間隔で同軸状態に固定した複数枚のローターディスク８から構成されている。回転軸７は本例では円形断面の中心軸７ａと、この中心軸７ａを同軸状態で覆っている正方形断面の筒状の外軸７ｂとを備えており、外軸７ｂに一定の間隔で各ローターディスク８が固定されている。中心軸７ａの両端部分は軸受２１を介して枠体６に回転自在に支持されている。各中心軸７ａの端部は軸受２１を貫通して側方に突出しており、この突出部分に取付けられたスプロケット２２と、これらに架け渡したチェーン２３からなる伝達機構を介して、モータ２４（図２参照）によって、各ローター５が同一方向に同期回転する。
【００２７】
（巻き付き防止機構）
ロータースクリーン式選別機１には、各ローター５の回転軸７に長尺状のシート、テープなどの長尺状の塵が絡まり、そこに巻き付いてしまうことを防止するための巻き付き防止機構が備わっている。本例の巻き付き防止機構は、異物掻き取り用のスクレーパー３０と、送風機構４０とを備えている。
【００２８】
図３を参照して説明すると、スクレーパー３０は、ロータースクリーン２の各ローター５の回転軸７の下側位置において枠体６に両端が取り付けられており、各回転軸７に沿って垂直に配置されている。スクレーパー３０は、両端が枠体６に固定された水平支持パイプ３１と、この水平支持パイプ３１に下端部が固定されている掻き取り用ブレード３２とを備えている。掻き取り用ブレード３２は、本例では、４枚のブレードから構成されており、各ローターディスク８の輪郭形状に対応した形状の刃先部分３３を備えている。各刃先部分３３は、各ローターディスク８の隙間に下側から進入した状態に配置されており、それらの刃先３３ａは、ローターディスク８の間に位置している回転軸７の外軸７ｂの露出軸部分７ｃの正方形輪郭の外周面の角に当接している。
【００２９】
次に、図１を参照して説明すると、送風機構４０は第１の風４１、第２の風４２および第３の風４３を形成可能なものである。第１の風４１は、ロータースクリーン２の下側から各ローター５の隙間を通って上方に向かう風である。第２の風４２は、傾斜配置されているロータースクリーン２の上面に沿って、その送り方向の後側（上流側）から前側（下流側）に向かう風である。第３の風４３は、投入口１１から投入される混合塵Ｗに対して吹きつけられる風であり、例えば、ロータースクリーン２の下流側に向かう水平方向の風である。送風機構４０は、送風源４４と、ここから送り出される風の一部をロータースクリーン２の下側に導き第１の風４１を形成するために配置した第１送風ダクト４５と、送風源４４から送り出される風の一部をロータースクリーン２の下流端に導き第２の風４２を形成するために配置した第２送風ダクト４６と、送風源４４から送り出される風の一部を投入口に導き第３の風４３を形成するために配置した第３送風ダクト４７とを備えている。また、第１〜第３送風ダクト４５、４６、４７には風量調整部４５ａ、４６ａ、４７ａが備わっており、送風源４４、風量調整部４５ａ、４６ａ、４７ａは、ロータースクリーン式選別機１の駆動制御を司る制御盤５０によって制御される。なお、風量調整はインバータ制御方式のものであってもよい。また、各風を発生させるために３個の送風ファンを配置することも可能である。
【００３０】
（選別動作）
次に、図４を参照して、ロータースクリーン式選別機１の選別動作を説明する。傾斜配置されているロータースクリーン２の上に混合塵Ｗが投入されると、この混合塵Ｗに含まれている土、砂、石などの細粒物Ｗ１は、ローターディスク８と回転軸７の間に形成されている隙間から下に落下して回収用ホッパ１３を介してコンベア１４に導かれ、所定の回収場所に搬送される。投入された混合塵Ｗに含まれているビニール袋、長尺状のテープなどのシート類を含む軽量塵Ｗ２は、ロータースクリーン２によってその前端部分まで搬送され、そこから落下して回収用ホッパ１５を介してコンベア１６に導かれ、所定の回収場所に搬送される。混合塵Ｗのうちの残りの空き缶、ペットボトルなどの固形物を含む重量塵Ｗ３は、ロータースクリーン２の上面に沿って滑落してその後端部分から落下して、回収用ホッパ１７を介してコンベア１８に導かれて、所定の回収場所に搬送される。このようにして、ロータースクリーン式選別機１によって混合塵Ｗは三種類の塵Ｗ１〜Ｗ３に選別される。
【００３１】
ここで、軽量塵Ｗ２には、長尺状のシート類、例えば廃棄カセットテープ、ビデオテープ等の長尺状の塵が含まれている場合がある。このような長尺状の塵が回転軸７の露出軸部分７ｃに絡み付くと、当該露出軸部分７ｃの回転に伴ってそこに巻き付き、除去作業に時間を要する。また、長尺状の塵が各ローターディスク８に絡み付いた場合にも、それを除去する作業に時間を要する。しかしながら、本例では、巻き付き防止機構としてスクレーパー３０と送風機構４０が備わっているので、露出軸部分７ｃ、ローターディスク８に長尺状の塵が巻き付くことがない。
【００３２】
すなわち、送風機構４０によって、投入口１１からロータースクリーン２の上に投入される混合塵Ｗには、投入口１１の近傍において第３の風４３が吹き付けられ、ばらけた状態になる。この結果、軽いシート類、軽い長尺状の塵は他の塵から分離されて風に乗って運ばれ、ロータースクリーン２の上面に落下しにくい。このため、長尺状の塵が回転軸７の露出軸部分７ｃまで落下してそこに絡み付き、回転軸７の回転に伴ってそこに巻き付いてしまうことが防止される。また、ロータースクリーン２の下側からは第１の風４１が吹き上げられている。この第１の風４１によっても、投入された混合塵Ｗに含まれている軽いシート類、長尺状の塵は、回転軸７に到達する位置まで落下することが防止あるいは抑制される。さらに、ロータースクリーン２の後端（上流端）からは当該ロータースクリーン２の上面に沿って下流側に向かう第２の風４２が流れている。したがって、第１の風４１によって吹き上げられた軽いシート類、長尺状の塵は、この第２の風４２に乗って下流側に運ばれる。これによっても、長尺状の塵が回転軸７に到達する位置まで落下することが防止あるいは抑制される。
【００３３】
さらには、回転軸７の露出軸部分７ｃには、下側からスクレーパー３０の各刃先３３ａが当接している。また、各ローターディスク８の側面部分および外周端面部分には、スクレーパー３０の刃先部分が当接可能となっている。第１〜第３の風４１〜４３にも拘らず、重量のある長尺状の塵などが露出軸部分７ｃまで落下して当該露出軸部分７ｃ、ローターディスク８に絡み付いたとしても、スクレーパー３０の各刃先３３ａ、刃先部分３３によって、絡み付いた長尺状の塵が露出軸部分７ｃ、ローターディスク８から掻き落とされる。したがって、長尺状の塵が露出軸部分７ｃ、ローターディスク８に巻き付いてしまうことを確実に防止できる。
【００３４】
なお、第１〜第３の風４１〜４３の風量を調整しておくことにより、効率良くシート類、長尺状の塵をロータースクリーン２の上面に沿って下流側に向けて風に乗せて運ぶことができ、これにより、選別動作が効率良く行われると共に、長尺状の塵が回転軸７に絡みつきそこに巻き付いてしまうことを防止できる。
【００３５】
（巻き付き防止機構の別の例）
図５は、スクレーパー３０の代わりに用いることのできる巻き付き防止機構の例を示す説明図である。図５（ａ）に示す巻き付き防止機構は回転軸７を覆い隠している円環状カバー６１である。円環状のカバー６１は、各ローター５における各ローターディスク８の隙間の露出軸部分７ｃを覆い隠す状態に取り付けられている。また、各円環状カバー６１は回転軸７とは完全に切り離され、回転自在の状態で露出軸部分７ｃを覆い隠している。したがって、選別動作時において回転軸７が回転しても、各円環状カバー６１は回転しないので、長尺状の塵が当該円環状カバー６１に接触しても、当該円環状カバー６１に巻き付くことがない。
【００３６】
図５（ｂ）および（ｃ）に示す巻き付き防止機構は各露出軸部分７ｃを覆い隠している固定式のカバーの二例を示す説明図である。
【００３７】
図５（ｂ）に示すカバー６２は円環状のカバー本体６２ａと、このカバー本体６２ａを支持している垂直支持腕６２ｂと、各垂直支持腕６２ｂの下端が固定されている水平支持パイプ６２ｃとを備えている。水平支持パイプ６２ｃの両端はローターディスク式選別機１の枠体６に取り付けられる。
【００３８】
図５（ｃ）に示すカバー６３は各露出軸部分７ｃの上半部分を覆い隠している半円形断面の円弧状部分６３ａと、この円弧状部分６３ａの両端から下方に垂直に延びている垂直支持腕６３ｂ、６３ｃと、各垂直支持腕６３ｂ、６３ｃを支持している水平支持板６３ｄとを備えている。水平支持板６３ｄの両端がローターディスク式選別機１の枠体６に取り付けられる。
【００３９】
これらの固定式のカバー６２、６３は、図４（ｄ）、（ｅ）に示すように、多角形断面の回転軸７Ａ、７Ｂの場合にも用いることができる。同様に、回転自在のカバー６１も多角形断面の回転軸７Ａ、７Ｂに用いることができる。
【図面の簡単な説明】
【００４０】
【図１】ローターディスク式選別機の全体構成を示す概略構成図である。
【図２】図１の選別機のロータースクリーンの部分平面図である。
【図３】１本のローターを示す平面図である。
【図４】ローターディスク式選別機の選別動作を示す動作説明図である。
【図５】スクレーパーの代わりに用いることのできる巻き付き防止機構の例を示す説明図である。
【符号の説明】
【００４１】
１    選別機
２    ロータースクリーン
５    ローター
７、７Ａ、７Ｂ  回転軸
７ａ  中心軸
７ｂ  外軸
７ｃ  露出軸部分
８    ローターディスク
１０  シリンダ
１１  投入口
１２、１４、１６、１８  コンベア
１３、１５、１７  回収用ホッパ
２１  軸受
２２  スプロケット
２３  チェーン
３０  スクレーパー
３１  水平支持パイプ
３２  掻き取り用ブレード
３３  刃先部分
３３ａ  刃先
４０  送風機構
４１  第１の風
４２  第２の風
４３  第３の風
４４  送風源
４５  第１送風ダクト
４５ａ、４６ａ、４７ａ  風量調整部
４６  第２送風ダクト
４７  第３送風ダクト
５０  制御盤
６１  円環状カバー
６２  カバー
６２ａ  カバー本体
６２ｂ  垂直支持腕
６２ｃ  水平支持パイプ
６３  カバー
６３ａ  円弧状部分
６３ｂ、６３ｃ  垂直支持腕
６３ｄ  水平支持板
Ｗ    混合塵
Ｗ１  細粒塵
Ｗ２  軽量塵
Ｗ３  重量塵
【図１】
2009189957.tif 000003
【図２】
2009189957.tif 000004
【図３】
2009189957.tif 000005
【図４】
2009189957.tif 000006
【図５】
2009189957.tif 000007